(57)【要約】【課題】小型化の機種に適用可能であり、且つ高性能と信頼性を確保することができるコイル部品を提供する。【解決手段】本発明は、磁性物質を含む本体と、上記本体の内部に配置された支持部材と、上記本体の内部の上記支持部材上に配置されたコイルパターンと、を含むコイル部品であって、上記コイルパターンは、平面渦巻き状を有する第１導体層と、上記第１導体層を覆い、厚さが線幅より大きい第２導体層と、を含み、上記本体の厚さ方向及び幅方向の断面視において、上記第１導体層の最外側及び最内側パターンの線幅が、上記最外側パターンと上記最内側パターンとの間に配置された少なくとも１つの内部パターンの線幅と異なる、コイル部品及びその製造方法に関する。【選択図】図４
2018121047.tif 000002
【特許請求の範囲】
【請求項１】
磁性物質を含む本体と、
前記本体の内部に配置された支持部材と、
前記本体の内部の前記支持部材上に配置されたコイルパターンと、を含むコイル部品であって、
前記コイルパターンは、平面渦巻き状を有する第１導体層と、前記第１導体層を覆い、厚さが線幅よりも大きい第２導体層と、を含み、
前記本体の厚さ方向及び幅方向の断面視において、
前記第１導体層の最外側パターン及び最内側パターンの線幅が、前記最外側パターンと前記最内側パターンとの間に配置された少なくとも１つの内部パターンの線幅と異なる、コイル部品。
【請求項２】
前記本体の厚さ方向及び幅方向の断面視において、
前記第１導体層の最外側パターン及び最内側パターンの線幅が、前記第１導体層の内部パターンの線幅よりも狭い、請求項１に記載のコイル部品。
【請求項３】
前記第１導体層の内部パターンは、厚さが線幅よりも小さい、請求項１または２に記載のコイル部品。
【請求項４】
前記第２導体層は前記第１導体層の上面及び側面を覆う、請求項１から３のいずれか一項に記載のコイル部品。
【請求項５】
前記本体の厚さ方向及び幅方向の断面視において、
前記第１導体層の上面と前記第２導体層の上面との間の距離が、前記第１導体層の側面と前記第２導体層の側面との間の距離よりも大きい、請求項４に記載のコイル部品。
【請求項６】
前記コイルパターンは、前記支持部材の上面及び下面にそれぞれ形成された第１コイルパターン及び第２コイルパターンを含み、
前記第１コイルパターン及び前記第２コイルパターンはそれぞれ前記第１導体層及び前記第２導体層を含む、請求項１から５のいずれか一項に記載のコイル部品。
【請求項７】
前記第１コイルパターン及び前記第２コイルパターンは、前記支持部材を貫通するビアを介して連結されている、請求項６に記載のコイル部品。
【請求項８】
前記第２導体層を覆う絶縁膜をさらに含む、請求項１から７のいずれか一項に記載のコイル部品。
【請求項９】
前記磁性物質は金属磁性体粉末及び絶縁樹脂を含む、請求項１から８のいずれか一項に記載のコイル部品。
【請求項１０】
前記支持部材の中央部には貫通孔が形成されており、
前記貫通孔には前記磁性物質が充填されている、請求項１から９のいずれか一項に記載のコイル部品。
【請求項１１】
前記本体上に配置され、前記コイルパターンと電気的に連結された外部電極をさらに含む、請求項１から１０のいずれか一項に記載のコイル部品。
【請求項１２】
前記第２導体層は１．２以上のアスペクト比を有する、請求項１から１１のいずれか一項に記載のコイル部品。
【請求項１３】
前記ビアは円筒状を有する、請求項７に記載のコイル部品。
【請求項１４】
前記ビアは砂時計状を有する、請求項７に記載のコイル部品。
【請求項１５】
支持部材上にコイルパターンを形成する段階と、
前記支持部材を磁性物質で覆って本体を形成する段階と、を含むコイル部品の製造方法であって、
前記コイルパターンを形成する段階は、前記支持部材上に平面渦巻き状を有する第１導体層を形成する段階と、前記支持部材上に、前記第１導体層を覆い、厚さが線幅よりも大きい第２導体層を形成する段階と、を含み、
前記本体の厚さ方向及び幅方向の断面視において、
前記第１導体層の最外側パターン及び最内側パターンの線幅が、前記最外側パターンと前記最内側パターンとの間に配置された少なくとも１つの内部パターンの線幅と異なる、コイル部品の製造方法。
【請求項１６】
前記本体の厚さ方向及び幅方向の断面視において、
前記第１導体層の最外側パターン及び最内側パターンの線幅が、前記第１導体層の内部パターンの線幅よりも狭い、請求項１５に記載のコイル部品の製造方法。
【請求項１７】
前記第１導体層を形成する段階は、
前記支持部材上に平面渦巻き状の開口部を有するレジストを形成する段階と、
前記開口部をめっきにより満たして第１導体層を形成する段階と、
前記レジストを除去する段階と、を含む、請求項１５または１６に記載のコイル部品の製造方法。
【請求項１８】
前記第２導体層を形成する段階は、
前記第１導体層の最外側及び最内側パターンの側部にダムを形成する段階と、
前記支持部材上に、前記第１導体層を引込線として用いて、幅方向に比べて厚さ方向の成長が大きいようにめっきを行うことで、前記第２導体層を形成する段階と、
前記ダムを除去する段階と、を含む、請求項１７に記載のコイル部品の製造方法。
【請求項１９】
磁性物質を含む本体と、
前記本体の内部に配置された支持部材と、
前記本体の内部の前記支持部材上に配置されたコイルパターンと、を含むコイル部品であって、
前記コイルパターンは、平面渦巻き状を有する第１導体層と、前記第１導体層を覆い、厚さが線幅よりも大きい第２導体層と、を含み、
前記本体の厚さ方向及び幅方向の断面視において、
前記第１導体層の最外側パターン及び最内側パターンの線幅が、前記最外側パターンと前記最内側パターンとの間に配置された少なくとも１つの内部パターンの線幅よりも狭い、コイル部品。
【請求項２０】
前記少なくとも１つの内部パターンは、厚さが線幅よりも小さい、請求項１９に記載のコイル部品。
【発明の詳細な説明】
【技術分野】
【０００１】
本発明は、コイル部品及びその製造方法、例えば、パワーインダクター及びその製造方法に関するものである。
【背景技術】
【０００２】
コイル部品の一つであるインダクター（Ｉｎｄｕｃｔｏｒ）は、抵抗、キャパシターとともに電子回路を成し、ノイズ（Ｎｏｉｓｅ）を除去する代表的な受動素子である。インダクターは、めっきを用いる薄膜型インダクター、ペースト印刷を用いる積層型インダクター、及び巻線コイルを用いる巻線型インダクターに大別される。
【０００３】
近年、デジタルＴＶ、携帯電話、ノート型パソコンなどのような電子機器の小型化及び薄型化に伴い、かかる電子機器に適用されるコイル部品においても小型化及び高容量化が要求されている。これにより、磁性物質の単価を下げる方法が模索されており、パワーインダクターの主形態が積層型から薄膜型及び巻線型へ移行している。
【０００４】
薄膜型インダクターの場合、最近、セットの複合化、多機能化、スリム化などの変化に応じて、チップの厚さをさらに薄くしようとする試みが行われている。したがって、このようなスリム化の傾向の中でも、高性能と信頼性を確保することができる方法が求められている。
【発明の概要】
【発明が解決しようとする課題】
【０００５】
本発明の様々な目的の一つは、小型化の機種に適用可能であり、且つ高性能と信頼性を確保することができるコイル部品を提供することにある。
【課題を解決するための手段】
【０００６】
本発明により提案する様々な解決手段の一つは、順に平面渦巻き状を有する第１及び第２導体層を形成してコイルパターンを形成する際に、第１導体層の線幅を調節することで、第２導体層の形成における工程ばらつきの問題などを解決することである。
【０００７】
例えば、本発明により提案する一例によるコイル部品は、本体の内部に配置された支持部材と、上記本体の内部の上記支持部材上に配置されたコイルパターンと、を含むコイル部品であって、上記コイルパターンは、平面渦巻き状を有する第１導体層と、上記第１導体層を覆い、厚さが線幅よりも大きい第２導体層と、を含み、上記本体の厚さ方向（第３方向）及び幅方向（第２方向）の断面視において、上記第１導体層の最外側及び最内側パターンの線幅は、上記最外側パターンと上記最内側パターンとの間に配置された少なくとも１つの内部パターンの線幅と異なる。
【０００８】
例えば、本発明により提案する一例によるコイル部品の製造方法は、支持部材上にコイルパターンを形成する段階と、上記支持部材を磁性物質で覆って本体を形成する段階と、を含むコイル部品の製造方法であって、上記コイルパターンを形成する段階は、上記支持部材上に平面渦巻き状を有する第１導体層を形成する段階と、上記支持部材上に、上記第１導体層を覆い、厚さが線幅よりも大きい第２導体層を形成する段階と、を含み、上記本体の厚さ方向（第３方向）及び幅方向（第２方向）の断面視において、上記第１導体層の最外側及び最内側パターンの線幅は、上記最外側パターンと上記最内側パターンとの間に配置された少なくとも１つの内部パターンの線幅と異なる。
【発明の効果】
【０００９】
本発明の様々な効果の一効果として、小型化の機種に適用可能であり、且つ高性能と信頼性を確保することができるコイル部品及びその製造方法を提供することができる。
【図面の簡単な説明】
【００１０】
【図１】電子機器に適用されるコイル部品の例を概略的に示す。
【図２Ａ】コイル部品の一例を示す概略的な斜視図である。
【図２Ｂ】コイル部品の一例を示す概略的な斜視図である。
【図３】図２のコイル部品の概略的なＩ−Ｉ'断面の一例を示す。
【図４】図３のコイル部品の概略的な「Ａ」部分を拡大した一例を示す。
【図５】コイル部品の一製造例を示す概略的なフローチャートである。
【図６】コイルパターンの第１導体層の一製造例を概略的に示す。
【図７】コイルパターンの第２導体層の一製造例を概略的に示す。
【図８】コイルパターンの第２導体層の一製造例を概略的に示す。
【発明を実施するための形態】
【００１１】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及びサイズなどはより明確な説明のために拡大縮小表示（または強調表示や簡略化表示）がされることがある。
【００１２】
電子機器
図１は電子機器に適用されるコイル部品の例を概略的に示す。図面を参照すると、電子機器には種々の電子部品が用いられることが分かる。例えば、アプリケーションプロセッサー（Ａｐｐｌｉｃａｔｉｏｎ  Ｐｒｏｃｅｓｓｏｒ）を中心として、ＤＣ／ＤＣ、コミュニケーションプロセッサー（Ｃｏｍｍ．  Ｐｒｏｃｅｓｓｏｒ）、ＷＬＡＮ  ＢＴ／ＷｉＦｉ（登録商標）  ＦＭ  ＧＰＳ  ＮＦＣ、ＰＭＩＣ、電池、ＳＭＢＣ、ＬＣＤ  ＡＭＯＬＥＤ、オーディオコーデック（Ａｕｄｉｏ  Ｃｏｄｅｃ）、ＵＳＢ２．０／３．０  ＨＤＭＩ（登録商標）、ＣＡＭなどが用いられることができる。この際、このような電子部品の間には、ノイズを除去するなどの目的で、種々のコイル部品がその用途に応じて適宜適用されることができる。例えば、パワーインダクター（Ｐｏｗｅｒ  Ｉｎｄｕｃｔｏｒ）１、高周波インダクター（ＨＦ  Ｉｎｄｕｃｔｏｒ）２、通常のビーズ（Ｇｅｎｅｒａｌ  Ｂｅａｄ）３、高周波用ビーズ（ＧＨｚ  Ｂｅａｄ）４、コモンモードフィルター（Ｃｏｍｍｏｎ  Ｍｏｄｅ  Ｆｉｌｔｅｒ）５などが挙げられる。
【００１３】
より具体的に、パワーインダクター（Ｐｏｗｅｒ  Ｉｎｄｕｃｔｏｒ）１は、電気を磁場形態で貯蔵して出力電圧を維持し、電源を安定させる用途などに用いられることができる。また、高周波インダクター（ＨＦ  Ｉｎｄｕｃｔｏｒ）２は、インピーダンスをマッチングして必要な周波数を確保したり、ノイズ及び交流成分を遮断したりするなどの用途に用いられることができる。また、通常のビーズ（Ｇｅｎｅｒａｌ  Ｂｅａｄ）３は、電源及び信号ラインのノイズを除去したり、高周波リップルを除去したりするなどの用途に用いられることができる。また、高周波用ビーズ（ＧＨｚ  Ｂｅａｄ）４は、オーディオに関する信号ライン及び電源ラインの高周波ノイズを除去するなどの用途に用いられることができる。また、コモンモードフィルター（Ｃｏｍｍｏｎ  Ｍｏｄｅ  Ｆｉｌｔｅｒ）５は、ディファレンシャルモードでは電流を通過させ、コモンモードノイズのみを除去するなどの用途に用いられることができる。
【００１４】
電子機器は、代表的にスマートフォン（Ｓｍａｒｔ  Ｐｈｏｎｅ）であることができるが、これに限定されるものではなく、例えば、携帯情報端末（ｐｅｒｓｏｎａｌ  ｄｉｇｉｔａｌ  ａｓｓｉｓｔａｎｔ）、デジタルビデオカメラ（ｄｉｇｉｔａｌ  ｖｉｄｅｏ  ｃａｍｅｒａ）、デジタルスチルカメラ（ｄｉｇｉｔａｌ  ｓｔｉｌｌ  ｃａｍｅｒａ）、ネットワークシステム（ｎｅｔｗｏｒｋ  ｓｙｓｔｅｍ）、コンピューター（ｃｏｍｐｕｔｅｒ）、モニター（ｍｏｎｉｔｏｒ）、テレビジョン（ｔｅｌｅｖｉｓｉｏｎ）、ビデオゲーム（ｖｉｄｅｏ  ｇａｍｅ）、スマートウォッチ（ｓｍａｒｔ  ｗａｔｃｈ）、自動車（Ａｕｔｏｍｏｂｉｌｅ）であってもよい。これらの他にも、通常の技術者に公知の他の様々な電子機器などであってもよいことは言うまでもない。
【００１５】
コイル部品
以下では、本発明によるコイル部品を説明するにあたり、便宜上、パワーインダクターの構造を例として説明するが、上述のような他の様々な用途のコイル部品にも本発明のコイル部品が適用可能であることは言うまでもない。
【００１６】
一方、以下で用いる側部は、便宜上、図面の第１方向（長さ方向）または第２方向（幅方向）に向かう方向を意味するものとして用い、上部は、便宜上、第３方向（厚さ方向）に向かう方向を意味するものとして用い、下部は、便宜上、第３方向（厚さ方向）の反対方向に向かう方向として用いた。また、幅方向は、第１方向または第２方向を意味するものとして用い、厚さ方向は第３方向を意味するものとして用いた。
【００１７】
一方、側部、上部、または下部に位置するということは、対象構成要素が、基準となる構成要素と該当方向に直接接触することだけでなく、該当方向に位置し、直接接触していない場合も含む概念として用いた。但し、これは説明の便宜のために方向を定義したものであって、特許請求の範囲がこのような方向についての記載により特に限定されるものではないことは言うまでもない。
【００１８】
図２Aはコイル部品の一例を示す概略的な斜視図である。
図２Bはコイル部品の一例を示す概略的な斜視図である。
【００１９】
図３は図２Aのコイル部品の概略的なＩ−Ｉ'断面の一例を示す。
【００２０】
図面を参照すると、一例によるコイル部品１００は、本体１０の内部に配置された支持部材２０と、本体１０の内部の支持部材２０の上面及び下面にそれぞれ形成された第１及び第２コイルパターン２１、２２と、本体１０上に配置され、第１及び第２コイルパターン２１、２２とそれぞれ連結された第１及び第２外部電極３１、３２と、を含む。第１及び第２コイルパターン２１、２２はそれぞれ、平面渦巻き状を有する第１導体層２１ａ、２２ａと、それを覆い、平面渦巻き状を有する第２導体層２１ｂ、２２ｂと、を含む。この際、第１及び第２コイルパターン２１、２２のそれぞれの第１導体層２１ａ、２２ａは、最外側及び最内側パターンの線幅が、最外側パターンと最内側パターンとの間に配置された内部パターンの線幅と異なる。
【００２１】
近年、携帯機器などの電子機器の小型化に伴い、それに用いられる各種チップ部品を小型化及び薄膜化させる研究が行われている。このような傾向の中で、コイル部品においても小型化及び薄膜化にもかかわらず高性能が求められており、これに応えるべく、制限された空間内でコイルの面積を最大限に増大させることが要求されている。これは、コイル面積を増やして直流抵抗（Ｒｄｃ）を改善させることが、コイルの効率に大きい影響を与えるためである。コイルの面積を増やす方法として、めっきにより、コイルパターンの線幅に対する高さの比であるアスペクト比を高めるための多様な研究が行われている。しかし、めっきにより高いアスペクト比を有するコイルパターンを形成する場合、アスペクト比の上昇に伴ってめっき成長の均一度が低下する恐れがあり、また、コイルパターン間のショートが発生するなどの信頼性の問題が生じている。
【００２２】
これに対し、一例によるコイル部品１００は、支持部材２０上に平面渦巻き状を有する第１導体層２１ａ、２２ａを形成し、この第１導体層２１ａ、２２ａを引込線として用いて、支持部材２０上に高いアスペクト比を有する平面渦巻き状の第２導体層２１ｂ、２２ｂを形成する。この際、本体１０の厚さ方向（第３方向）及び幅方向（第２方向）の断面視において、第１導体層２１ａ、２２ａの最外側及び最内側パターンの線幅が、それらの間に配置された内部パターンの線幅と異なるように形成する。この場合、めっきにより第２導体層２１ｂ、２２ｂを形成する際に、第２導体層２１ｂ、２２ｂのアスペクト比の上昇にもかかわらずめっき成長の均一度が一定であり、ショート問題も最小化することができる。すなわち、一例によるコイル部品１００は、第１導体層２１ａ、２２ａの線幅を調節することで、高いアスペクト比を有する第２導体層２１ｂ、２２ｂのめっきばらつきを改善することができるため、直流抵抗（Ｒｄｃ）及びインダクタンス（Ｌｓ）特性を極大化することができる。さらに、第１導体層２１ａ、２２ａを引込線として第２導体層２１ｂ、２２ｂを引き続き形成するため、その中間に別のめっき工程などを行う必要がない。したがって、工程の簡素化により生産性を高めることもできる。
【００２３】
以下では、図面を参照して一例によるコイル部品１００の構成要素についてより詳細に説明する。
【００２４】
本体１０はコイル部品１００の基本的な外観を成すことができる。本体１０は、第１方向（長さ方向）に対向する第１及び第２面と、第２方向（幅方向）に対向する第３及び第４面と、第３方向（厚さ方向）に対向する第５及び第６面と、を含むことができる。本体１０は、このように略六面体形状であることができるが、これに限定されるものではない。第１面から第６面が接する６つの角は、グラインディング（Ｇｒｉｎｄｉｎｇ）などによって丸ければよい。
【００２５】
本体１０は磁気特性を示す磁性物質を含む。例えば、本体１０は、フェライトまたは金属磁性体粉末が樹脂に充填されたものであることができる。フェライトは、例えば、Ｍｎ−Ｚｎ系フェライト、Ｎｉ−Ｚｎ系フェライト、Ｎｉ−Ｚｎ−Ｃｕ系フェライト、Ｍｎ−Ｍｇ系フェライト、Ｂａ系フェライトまたはＬｉ系フェライトなどの物質からなることができる。金属磁性体粉末は、鉄（Ｆｅ）、シリコン（Ｓｉ）、クロム（Ｃｒ）、アルミニウム（Ａｌ）及びニッケル（Ｎｉ）からなる群から選択される何れか１つ以上を含み、例えば、Ｆｅ−Ｓｉ−Ｂ−Ｃｒ系非晶質金属であることができるが、必ずしもこれに制限されるものではない。
【００２６】
本体１０の磁性物質は、金属磁性体粉末及び絶縁樹脂を含む磁性体樹脂複合体であることができる。金属磁性体粉末は、鉄（Ｆｅ）、クロム（Ｃｒ）、またはシリコン（Ｓｉ）を主成分として含み、例えば、鉄（Ｆｅ）−ニッケル（Ｎｉ）、鉄（Ｆｅ）、鉄（Ｆｅ）−クロム（Ｃｒ）−シリコン（Ｓｉ）などを含むことができるが、これに限定されるものではない。絶縁樹脂は、エポキシ（ｅｐｏｘｙ）、ポリイミド（ｐｏｌｙｉｍｉｄｅ）、及び／または液晶ポリマー（Ｌｉｑｕｉｄ  Ｃｒｙｓｔａｌ  Ｐｏｌｙｍｅｒ；ＬＣＰ）などを含むことができるが、これに限定されるものではない。金属磁性体粉末は、少なくとも２つ以上の平均粒径を有する金属磁性体粉末が充填されたものであることができる。または、金属磁性体粉末は、少なくとも３つ以上の平均粒径を有する金属磁性体粉末が充填されたものであることができる。この場合、互いに異なるサイズの金属磁性体粉末を用いて圧着することで、磁性体樹脂複合体を完全に満たすことができるため、充填率を高めることができる。その結果、コイル部品１００の容量増大が可能となる。
【００２７】
支持部材２０は、コイルパターン２１、２２を支持できるものであればその材質や種類が特に限定されない。例えば、支持部材２０は、銅張積層板（ＣＣＬ）、ポリプロピレングリコール（ＰＰＧ）基板、フェライト基板または金属系軟磁性基板などであることができる。また、絶縁樹脂からなる絶縁基板であってもよい。絶縁樹脂としては、エポキシ樹脂などの熱硬化性樹脂、ポリイミドなどの熱可塑性樹脂、またはこれらにガラス繊維または無機フィラーなどの補強材が含浸された樹脂、例えば、プリプレグ（ｐｒｅｐｒｅｇ）、ＡＢＦ（Ａｊｉｎｏｍｏｔｏ  Ｂｕｉｌｄ−ｕｐ  Ｆｉｌｍ）などが用いられることができる。剛性維持の点では、ガラス繊維及びエポキシ樹脂を含む絶縁基板を用いることができるが、これに限定されるものではない。支持部材２０の厚さ（Ｔ）は、８０μｍ以下、好ましくは６０μｍ以下、より好ましくは４０μｍ以下であることができるが、これに限定されるものではない。
【００２８】
コイルパターン２１、２２は、コイルから発現される特性により、コイル部品１００が様々な機能を担うようにする。例えば、コイル部品１００はパワーインダクターであることができ、この場合、コイルパターン２１、２２は、電気を磁場形態で貯蔵して出力電圧を維持し、電源を安定させる役割などを果たすことができる。コイルパターン２１、２２は、支持部材２０の上面及び下面にそれぞれ配置された第１コイルパターン２１及び第２コイルパターン２２を含み、第１及び第２コイルパターン２１、２２は、支持部材２０を貫通するビア２３を介して電気的に連結されることができる。
【００２９】
コイルパターン２１、２２はそれぞれ、第１導体層２１ａ、２２ａ及び第２導体層２１ｂ、２２ｂを含む。第１導体層２１ａ、２２ａは、支持部材２０上に配置されており、平面渦巻き状を有する。第２導体層２１ｂ、２２ｂは、支持部材２０上に第１導体層２１ａ、２２ａを覆うように配置されており、同様に平面渦巻き状を有する。第１導体層２１ａ、２２ａ及び第２導体層２１ｂ、２２ｂは何れもめっきにより形成されることができ、それぞれ、銅（Ｃｕ）、アルミニウム（Ａｌ）、銀（Ａｇ）、スズ（Ｓｎ）、金（Ａｕ）、ニッケル（Ｎｉ）、鉛（Ｐｂ）、またはこれらの合金などの導電性物質を含むことができる。第１導体層２１ａ、２２ａは、最外側及び最内側パターンの線幅が、それらの間に配置された内部パターンの線幅と異なる。これにより、第２導体層２１ｂ、２２ｂの形成過程で発生し得るばらつきの問題などを改善することができる。
【００３０】
ビア２３は、支持部材２０を貫通して第１及び第２コイルパターン２１、２２を電気的に連結させる。これにより、第１及び第２コイルパターン２１、２２は電気的に連結され、１つのコイルを形成することができる。ビア２３も、銅（Ｃｕ）、アルミニウム（Ａｌ）、銀（Ａｇ）、スズ（Ｓｎ）、金（Ａｕ）、ニッケル（Ｎｉ）、鉛（Ｐｂ）、またはこれらの合金などの導電性物質を含むことができる。ビア２３の断面は、砂時計状、円筒状などであることができる。
【００３１】
絶縁膜２４、２５はコイルパターン２１、２２を保護することができる。絶縁膜２４、２５はそれぞれコイルパターン２１、２２を覆うことができる。絶縁膜２４、２５の材質は、絶縁物質を含むものであれば何れも適用可能である。例えば、通常の絶縁コーティングに用いられる絶縁物質、例えば、エポキシ樹脂、ポリイミド樹脂などの熱硬化性樹脂を含むことができるが、これに限定されるものではない。
【００３２】
支持部材２０の中心部には貫通孔１５が形成されており、貫通孔１５に磁性物質が充填されて磁性コアを形成することができる。すなわち、第１及び第２コイルパターン２１、２２の中心部が支持部材２０の妨害なしに連結され、磁性物質で満たされた磁性コアを形成することができる。この場合、インダクタンス特性をさらに改善することができる。
【００３３】
外部電極３１、３２は、コイル部品１００が電子機器などに実装される際に、コイル部品１００内のコイルパターン２１、２２と電子機器とを電気的に連結させる。第１及び第２外部電極３１、３２はそれぞれ、第１及び第２コイルパターン２１、２２の引き出し電極と連結されることができる。外部電極３１、３２は導電性物質を含むことができる。例えば、外部電極３１、３２はそれぞれ、導電性樹脂層と、導電性樹脂層上に形成されためっき層と、を含むことができる。導電性樹脂層は、銅（Ｃｕ）、ニッケル（Ｎｉ）及び銀（Ａｇ）からなる群から選択される何れか１つ以上の導電性金属と熱硬化性樹脂を含むことができる。めっき層は、ニッケル（Ｎｉ）、銅（Ｃｕ）及びスズ（Ｓｎ）からなる群から選択される何れか１つ以上を含むことができ、例えば、ニッケル（Ｎｉ）層とスズ（Ｓｎ）層が順に形成されたものであることができる。但し、これに限定されるものではなく、例えば、これら層の順序が互いに変わっていてもよい。
【００３４】
図４は図３のコイル部品の概略的な「Ａ」部分を拡大した一例を示す。
【００３５】
図面を参照すると、本体１０の厚さ方向（第３方向）及び幅方向（第２方向）の断面視において、第１コイルパターン２１の第１導体層２１ａの最外側パターン２１ａ１の線幅Ｗ１及び最内側パターン２１ａ４の線幅Ｗ４は、それらの間に配置された内部パターン２１ａ２、２１ａ３の線幅Ｗ２、Ｗ３よりも狭ければよい。最外側パターン２１ａ１及び最内側パターン２１ａ４の線幅Ｗ１、Ｗ４を内部パターン２１ａ２、２１ａ３の線幅Ｗ２、Ｗ３と等しくするか、より広くする場合、最外側パターン２１ａ１及び最内側パターン２１ａ４が過大に成長して、ばらつきに悪い影響を与える恐れがある。ばらつきが発生すると、コイルの断面積が均一ではないため、直流抵抗（Ｒｄｃ）の改善が難しくなり、これを覆う本体１０のカバー層も薄く形成され、インダクタンス（Ｌｓ）にも悪影響を与える恐れがある。これに対し、最外側パターン２１ａ１及び最内側パターン２１ａ４の線幅Ｗ１、Ｗ４を、内部パターン２１ａ２、２１ａ３の線幅Ｗ２、Ｗ３よりも狭くする場合、ばらつきを容易に制御することができる。図面には示していないが、これは第２コイルパターン２２においても同様である。
【００３６】
図面を参照すると、本体１０の厚さ方向（第３方向）及び幅方向（第２方向）の断面視において、第１コイルパターン２１の第２導体層２１ｂの厚さＨ２が、第１導体層２１ａの厚さＨ１よりも厚ければよい。すなわち、第２導体層２１ｂは、厚さが線幅よりも大きく、高いアスペクト比を有することができる。したがって、十分なコイル面積を確保することができる。これに対し、第１導体層２１ａは、めっき安定性の点でアスペクト比が小さければよく、例えば、第１コイルパターン２１の第１導体層２１ａの内部パターン２１ａ２、２１ａ３は、厚さが線幅よりも小さければよい。このような点から、第１導体層２１ａの上面と第２導体層２１ｂの上面との間の距離が、第１導体層２１ａの側面と第２導体層２１ｂの側面との間の距離よりも大きければよい。図面には示していないが、これは第２コイルパターン２２においても同様である。
【００３７】
図５はコイル部品の一製造例を示す概略的なフローチャートである。
【００３８】
図６はコイルパターンの第１導体層の一製造例を概略的に示す。
【００３９】
図７はコイルパターンの第２導体層の一製造例を概略的に示す。
【００４０】
図面を参照すると、一例によるコイル部品１００の製造方法は、支持部材２０上にコイルパターン２１、２２を形成する段階と、支持部材２０を磁性物質で覆って本体１０を形成する段階と、本体１０上にコイルパターン２１、２２と電気的に連結される外部電極３１、３２を形成する段階と、を含む。
【００４１】
先ず、支持部材２０上に、第１導体層２１ａを形成するための平面渦巻き状の開口部２０１Ｈを有するレジスト２０１を形成する。その後、開口部２０１Ｈをめっきにより満たして第１導体層２１ａを形成する。その後、レジスト２０１を除去する。一連の過程を経て、第１導体層２１ａが形成される。一方、レジスト２０１は通常の感光性レジストフィルムであることができる。
【００４２】
次に、支持部材２０上に、第１導体層２１ａの最外側及び最内側パターン２１ａ１、２１ａ４の側部にダム２０２ａ、２０２ｂを形成する。その後、支持部材２０上に、第１導体層２１ａを引込線として用いて、幅方向（第２方向）に比べて厚さ方向（第３方向）の成長が大きいようにめっきを行うことで第２導体層２１ｂを形成する。具体的に、第２導体層２１ｂは、電気めっきの際に、電流密度、めっき液の濃度、めっき速度などを調節することで、幅方向（第２方向）の成長は抑えられ、且つ高さ方向（第３方向）へのみ成長した形状の異方めっき層として形成することができる。したがって、第２導体層２１ｂはアスペクト比が１．２以上であることができる。その後、ダム２０２ａ、２０２ｂを除去する。一連の過程を経て、第２導体層２１ｂが形成される。すなわち、第１コイルパターン２１が形成される。一方、ダム２０２ａ、２０２ｂも同様に公知の感光性レジストフィルムであることができ、これにより、めっきショートを防止することができる。
【００４３】
一方、図面には示していないが、第２コイルパターン２２を形成することは第１コイルパターン２１を形成することと実質的に同様であり、これらは同時に形成することができる。
【００４４】
一方、コイルパターン２１、２２を形成する際に、支持部材２０を貫通するビアホールを形成した後、めっきをともに行うことでビア２３を形成することができる。また、コイルパターン２１、２２を形成した後、それを被覆する絶縁膜２４、２５を形成することができ、絶縁膜２４、２５は、スクリーン印刷法、フォトレジスト（Ｐｈｏｔｏ  Ｒｅｓｉｓｔ、ＰＲ）の露光、現像による工程またはスプレー（ｓｐｒａｙ）塗布工程などの公知の方法により形成することができる。
【００４５】
次に、コイルパターン２１、２２が形成された支持部材２０の上部及び下部に磁性体シートを積層した後、それを圧着及び硬化することで本体１０を形成する。磁性体シートは、金属磁性体粉末、絶縁樹脂、及び溶剤などの有機物を混合してスラリーを製造し、上記スラリーをドクターブレード法によりキャリアフィルム（ｃａｒｒｉｅｒ  ｆｉｌｍ）上に数十μｍの厚さに塗布した後、乾燥することでシート状に製造することができる。
【００４６】
一方、支持部材２０の中央部は、機械的ドリル、レーザードリル、サンドブラスト、打ち抜き加工などを行うことで除去され、貫通孔１５が形成されることができる。貫通孔１５は、磁性体シートを圧着及び硬化する過程で磁性物質で満たされることができる。
【００４７】
次に、本体１０の第１面及び第２面にそれぞれ引き出される第１及び第２コイルパターン２１、２２の引き出し電極と連結されるように、少なくともそれぞれ本体１０の第１面及び第２面を覆う第１及び第２外部電極３１、３２を形成する。外部電極３１、３２は、電気伝導性に優れた金属を含むペーストを用いて形成することができ、例えば、ニッケル（Ｎｉ）、銅（Ｃｕ）、スズ（Ｓｎ）または銀（Ａｇ）などの単独またはこれらの合金などを含む伝導性ペーストを印刷する方法により形成することができる。また、伝導性ペーストを印刷した後、めっき層をさらに形成することができる。めっき層は、ニッケル（Ｎｉ）、銅（Ｃｕ）及びスズ（Ｓｎ）からなる群から選択される何れか１つ以上を含み、例えば、ニッケル（Ｎｉ）層とスズ（Ｓｎ）層が順に形成されたものであることができる。
【００４８】
図８はコイルパターンの第２導体層の一製造例を概略的に示す。図面を参照すると、先ず、Ｓ８０１の段階において、支持部材２０上に、第１導体層２１ａを形成するための平面渦巻き状の開口部２０１Ｈを有するレジスト２０１を形成する。その後、Ｓ８０２の段階において、開口部２０１Ｈをめっきにより満たして第１導体層２１ａを形成する。その後、Ｓ８０３の段階において、レジスト２０１を除去する。一連の過程を経て、第１導体層２１ａが形成される。一方、レジスト２０１は通常の感光性レジストフィルムであることができる。
【００４９】
次に、Ｓ８０４の段階において、支持部材２０上に、第１導体層２１ａの最外側及び最内側パターン２１ａ１、２１ａ４の側部にダム２０２ａ、２０２ｂを形成する。その後、Ｓ８０５の段階において、支持部材２０上に、第１導体層２１ａを引込線として用いて幅方向（第２方向）に比べて厚さ方向（第３方向）の成長が大きいようにめっきを行うことで第２導体層２１ｂを形成する。具体的に、第２導体層２１ｂは、電気めっきの際に、電流密度、めっき液の濃度、めっき速度などを調節することで、幅方向（第２方向）は抑えられ、且つ高さ方向（第３方向）へのみ成長した形状の異方めっき層として形成することができる。したがって、第２導体層２１ｂはアスペクト比が１．２以上であることができる。その後、Ｓ８０６の段階において、第２導体層２１ｂ１、２１ｂ２、２１ｂ３、２１ｂ４の個別のパターンを区別するための絶縁膜を形成する。その後、Ｓ８０７の段階において、ダム２０２ａ、２０２ｂを除去する。一連の過程を経て、第２導体層２１ｂが形成される。すなわち、第１コイルパターン２１が形成される。一方、ダム２０２ａ、２０２ｂも同様に公知の感光性レジストフィルムであることができ、これにより、めっきショートを防止することができる。
【００５０】
一方、本発明において「電気的に連結される」というのは、物理的に連結された場合と、連結されていない場合をともに含む概念である。また、第１、第２などの表現は、一つの構成要素と他の構成要素を区分するために用いられるもので、該当する構成要素の順序及び／または重要度などを限定しない。場合によっては、本発明の範囲を外れずに、第１構成要素は第２構成要素と命名されることもでき、類似して第２構成要素は第１構成要素と命名されることもできる。
【００５１】
また、本発明で用いられた一例という表現は、互いに同一の実施例を意味せず、それぞれ互いに異なる固有の特徴を強調して説明するために提供されるものである。しかし、上記提示された一例は、他の一例の特徴と結合して実現されることを排除しない。例えば、特定の一例で説明された事項が他の一例で説明されていなくても、他の一例でその事項と反対であるか矛盾する説明がない限り、他の一例に関連する説明であると理解されることができる。
【００５２】
なお、本発明で用いられた用語は、一例を説明するために説明されたものであるだけで、本発明を限定しようとする意図ではない。このとき、単数の表現は文脈上明確に異なる意味でない限り、複数を含む。
【符号の説明】
【００５３】
１  パワーインダクター
２  高周波インダクター
３  通常のビーズ
４  高周波用ビーズ
５  コモンモードフィルター
１００  コイル部品
１０  本体
１５  貫通孔
２０  支持部材
２１、２２  コイルパターン
２１ａ、２２ａ  第１導体層
２１ｂ、２２ｂ  第２導体層
２３  ビア
２４、２５  絶縁膜
３１、３２  外部電極
【図１】
2018121047.tif 000003
【図２Ａ】
2018121047.tif 000004
【図２Ｂ】
2018121047.tif 000005
【図３】
2018121047.tif 000006
【図４】
2018121047.tif 000007
【図５】
2018121047.tif 000008
【図６】
2018121047.tif 000009
【図７】
2018121047.tif 000010
【図８】
2018121047.tif 000011